(57)【要約】      （修正有）【課題】簡素な構造で、組立、取付を容易に行うことができ、大掛かりな工事を行う必要がなく、部屋の角部を有効利用することができ、ケーブルの挿抜や新たな配線の追加等の配線作業が容易で、メンテナンス性、汎用性、機能性に優れると共に、配線を内部に収納することができ、室内が雑然とせず整理整頓され、清潔感を出すことができ、また、デザイン性に優れ、テレビの音が壁面に伝わり難く、静音性に優れた薄型テレビ固定具を提供する。【解決手段】部屋の角部で交差する２つの壁面に跨って配設され薄型テレビ２０の背面側を保持するテレビ保持具を有する骨組部と、骨組部の開口部の前面側に着脱自在又は回動自在に覆設されるカバー部１４ａ，１４ｂと、骨組部の少なくとも左右いずれか一方の側部と隣接する壁面との間に配設され壁面に対して骨組部を回動自在に保持する回動保持部を取付け可能な回動保持部取付部と、を備える。【選択図】図１
0003202483.tif 000002
【実用新案登録請求の範囲】
【請求項１】
部屋の角部で交差する２つの壁面に跨って配設され薄型テレビの背面側を保持するテレビ保持具を有する骨組部と、前記骨組部の開口部の前面側に着脱自在又は回動自在に覆設されるカバー部と、前記骨組部の少なくとも左右いずれか一方の側部と隣接する前記壁面との間に配設され前記壁面に対して前記骨組部を回動自在に保持する回動保持部を取付け可能な回動保持部取付部と、を備えていることを特徴とする薄型テレビ固定具。
【請求項２】
前記骨組部と前記カバー部の間に形成され前記薄型テレビに接続されたケーブルを前記カバー部の裏面側に挿通するケーブル挿通部を備えていることを特徴とする請求項１に記載の薄型テレビ固定具。
【請求項３】
前記骨組部に形成され外部から前記カバー部の裏面側にケーブルを挿通するケーブル取入口を備えていることを特徴とする請求項１又は２に記載の薄型テレビ固定具。
【請求項４】
前記骨組部に形成された収納部及び／又は増設コンセントを備えていることを特徴とする請求項１乃至３の内いずれか１項に記載の薄型テレビ固定具。
【考案の詳細な説明】
【技術分野】
【０００１】
本考案は、部屋の角部を利用して薄型テレビを設置することができる薄型テレビ固定具に関するものである。
【背景技術】
【０００２】
近年、液晶ディスプレイの薄型化、大画面化が進み、薄型テレビの設置場所として部屋の壁面が利用されており、壁掛用の金具等も市販されている。
しかし、薄型とはいえ比較的重量のある薄型テレビを壁面に取り付けるには、壁面の下地を確認し、間柱の位置に合わせて壁掛用の金具を取付けたり、脱落防止のために壁面の内部を補強したりしなければならず、大掛かりな工事を必要とし、施工性に欠けるという問題点があった。
そこで、（特許文献１）には、壁面に固定可能な取付パネルと取付パネルの正面側に固定されているテレビ取付具を有しており、取付パネルは、棚が取り付け可能な棚受具と、取付パネルに設けられている配線収容部と、を備えており、テレビ取付具は、取付パネルに固定されている基枠と、テレビの背面側に取り付け可能で、テレビの背面側に取り付けた状態で基枠の所要の箇所に掛けて取り付け可能な複数の掛け具と、を備えている薄型テレビ取付用壁面ユニットが開示されている。
また、（特許文献２）には、壁面に沿うように立設される支持基体の下端は床面と当接し荷重が支持され、支持基体は壁面から傾倒しないように壁面に係止固定され、支持基体の上部には、支持基体の前方に設けられるテレビを係止して固定するテレビ固定用部材が備えられ、テレビ固定用部材により固定されるテレビ裏面を支持基体の前面に対して離隔、近接させる動作機構を備える連結部材によってテレビ固定用部材と支持基体が連結されている壁掛けテレビ用支持装置が開示されている。
【先行技術文献】
【特許文献】
【０００３】
【特許文献１】特開２００９−７１７１１号公報
【特許文献２】特開２０１０−１２４３７８号公報
【考案の開示】
【考案が解決しようとする課題】
【０００４】
しかしながら上記従来の技術においては、以下のような課題を有していた。
（１）（特許文献１）では、壁面に対し比較的広い面積の取付パネルで薄型テレビを取り付けることにより、荷重を分散させ、十分な取付強度を確保しようとするものであるため、壁面が広範囲にわたって取付パネルで覆われ、その他の家具等の設置スペースが不足し易くなり、省スペース性に欠けるという課題を有している。
（２）また、（特許文献１）では、取付パネルの要所を壁面内部の間柱等の位置に合わせて螺子止めしなければならず、施工性、設置自在性に欠けるという課題を有している。
（３）さらに、（特許文献１）では、表面のベースパネルにテレビの配線を挿通するための導入孔が設けられ、ベースパネルと壁面との間に配線収容部が形成されており、取付けパネルの下端部に配設される幕板部材によって床を這うケーブルを覆い隠すことができるが、ケーブルが配線収容部に収容されているため、ケーブルの挿抜作業や新たな配線の追加等が困難でメンテナンス性、汎用性に欠けるという課題を有している。
（４）（特許文献２）では、壁掛けテレビ用支持装置の枠体は壁面に沿って立設されており、縦枠の裏側が壁面と接し、縦枠の下端が床面と当接することにより、荷重が支持されるが、（特許文献１）と同様に、支持基体が壁面から傾倒しないように間柱等の位置に合わせて螺子止め等で壁面に固定する必要があり、設置場所の制約を受け、施工性、設置自在性に欠けるという課題を有している。
（５）また、（特許文献２）では、テレビに接続された電源コード等をパネル部材の裏側と壁面との間に形成された空間に収納することができるが、枠体に電源コード等を取出す開口部が形成されていないため、枠体の内側にコンセント等が位置するように壁掛けテレビ用支持装置を設置しなければならず、設置自在性、汎用性に欠けるという課題を有している。
（６）（特許文献１），（特許文献２）共に壁面に設置されるため、テレビの音が壁面に伝わって振動が発生し易く、静音性に欠けるという課題を有している。
【０００５】
本考案は上記従来の課題を解決するもので、簡素な構造で、組立、取付を容易に行うことができ、大掛かりな工事を行う必要がなく、部屋の角部を有効利用することができ、ケーブルの挿抜や新たな配線の追加等の配線作業が容易で、メンテナンス性、汎用性、機能性に優れると共に、配線を内部に収納することができ、室内が雑然とせず整理整頓され、清潔感を出すことができ、また、デザイン性に優れ、テレビの音が壁面に伝わり難く、静音性に優れた薄型テレビ固定具の提供を目的とする。
【課題を解決するための手段及びそれによって得られる作用、効果】
【０００６】
上記従来の課題を解決するために本考案の薄型テレビ固定具は、以下の構成を有している。
本考案の請求項１に記載の薄型テレビ固定具は、部屋の角部で交差する２つの壁面に跨って配設され薄型テレビの背面側を保持するテレビ保持具を有する骨組部と、前記骨組部の開口部の前面側に着脱自在又は回動自在に覆設されるカバー部と、前記骨組部の少なくとも左右いずれか一方の側部と隣接する前記壁面との間に配設され前記壁面に対して前記骨組部を回動自在に保持する回動保持部を取付け可能な回動保持部取付部と、を備えた構成を有している。
この構成により、以下のような作用、効果が得られる。
（１）部屋の角部で交差する２つの壁面に跨って配設され薄型テレビの背面側を保持するテレビ保持具を有する骨組部を有するので、部屋の角部を有効利用して薄型テレビを設置することができ、壁面を薄型テレビで専有することなく他の家具等を設置することが可能で、壁面の有効利用性に優れる。
（２）テレビ保持具を有する骨組部が、部屋の角部で交差する２つの壁面に跨って配設されるので、薄型テレビの背面と壁面との間に空間を設けることができ、テレビの音が壁面に伝わり難く、壁面の振動を抑えることができ、静音性に優れる。
（３）テレビ保持具を有する骨組部が、部屋の角部で交差する２つの壁面に跨って配設されることにより、骨組部と壁面との間に形成される空間を薄型テレビに接続されるケーブル類やその他の小物等の収納スペースとして利用することができ、機能性、空間利用の効率性に優れる。
（４）骨組部の開口部の前面側に着脱自在又は回動自在に覆設されるカバー部を有することにより、薄型テレビの背面側に接続されるケーブル類が外から見えず、美感性、デザイン性に優れる。
（５）骨組部の開口部の前面側に覆設されるカバー部が着脱自在又は回動自在なので、必要に応じてカバー部を取り外すか、開くことにより、ケーブル類の挿抜や新たな配線の追加、或いは内部に収容された小物等の収容物の出し入れ等を容易に行うことができ、メンテナンス性、取扱い性に優れる。
（６）骨組部の開口部の前面側に覆設されるカバー部が着脱自在な場合、周囲の壁面、家具、カーテン等の色やデザイン等に応じて、表面の色、模様、デザイン等が異なるカバー部を適宜、選択して取替えることができ、デザイン性、汎用性に優れる。
（７）骨組部の少なくとも左右いずれか一方の側部と隣接する壁面との間に配設され壁面に対して骨組部を回動自在に保持する回動保持部を取付け可能な回動保持部取付部を有することにより、骨組部に容易に回動保持部を取付けることができ、壁面に対して骨組部を回動自在に保持することができるので、必要に応じて薄型テレビ固定具全体を回動させることができ、骨組部の裏側に回って配線の交換や追加等を行ったり、骨組部と壁面との間のスペースへの収容物の出し入れを行ったり、骨組部と壁面との間のスペースを清掃したりすることができ、組立作業性、メンテナンス性、機能性、清掃作業性に優れる。
（８）壁面に対して骨組部を回動自在に保持する回動保持部を回動保持部取付部に取付けることにより、薄型テレビ固定具の設置角度を変更することができるので、テレビを観る人の位置に応じて、薄型テレビの画面を最適な角度に調整することが可能で、汎用性に優れる。
【０００７】
ここで、骨組部はテレビ保持具によって薄型テレビを保持できるものであればよく、形状や大きさ等は薄型テレビの大きさや設置高さ等に応じて適宜、選択することができるが、左右の支柱部に渡設される板状のテレビ取付部の前面にテレビ保持具を取付けたものが好適に用いられる。尚、骨組部は木製でもステンレスやアルミニウム等の金属製でもよく、縦桟、横桟、筋交い等で適宜、補強することができる。また、骨組部の上面に天板を設け、スピーカー等を設置したり、小物を置くスペースとして利用したりしてもよい。
テレビ取付部に配設されるテレビ保持具の形状や構造は特に限定されるものではなく、市販のテレビ壁掛金具等を適宜、選択して使用することができる。特に、水平に対して上下方向の角度調整機能を備えたものは好適に用いられる。
【０００８】
カバー部は骨組部のテレビ取付部以外の開口部に覆設されるが、骨組部にカバー部を着脱自在に保持する手段としては磁石によって吸着するものやフックによって係止するもの等が好適に用いられ、これらは適宜、組合せて使用することもできる。また、骨組部にカバー部を回動自在に保持する手段としては蝶番が好適に用いられる。尚、カバー部の回動方向は左右方向でも上下方向でもよい。また、カバー部は左右に分割して観音開きにしてもよい。
カバー部としては、木製の板状の建具材を用いてもよいし、枠体に壁紙、障子紙、襖紙、塩ビシート、レザー、カーテン生地等の布地等を貼付けてもよい。また、カバー部に開口部を設け、障子、襖、ガラス戸等を取付けて、収容物を出し入れ自在にすることもできる。尚、カバー部の表面には各種の装飾を施すことができ、例えば、塗料等で着色したり、模様を描いたりしてもよい。また、カバー部にリモコン収納部を設けてもよい。
骨組部の下端側に骨組部を支持する脚部を備えてもよい。これにより、骨組部の転倒を確実に防止することができ、自立安定性、安全性に優れる。脚部の形状は適宜、選択することができるが、棒状に形成して骨組部の左右両側部から前方に突出させるものや、平板状に形成して骨組部の幅全体にわたって前方に突出させるもの等が好適に用いられる。
また、骨組部の上部と、薄型テレビ固定具が設置される部屋の壁面や天井に、薄型テレビの重量に耐えるアイボルト等の連結具を取付け、その間をチェーン等で連結する等して耐震補強することが好ましい。
【０００９】
回動保持部取付部は、骨組部の少なくとも左右いずれか一方の側部に設けることができる。これにより、周囲の家具、扉、窓等の配置等に応じて、回動保持部を選択的に取付けることができ、必要に応じて薄型テレビ固定具を回動させることができる。尚、回動保持部は薄型テレビ固定具の設置時に回動保持部取付部に取付けてもよいが、骨組部の左右いずれか一方の側部（回動保持部取付部）に予め備えていてもよい。回動保持部としては蝶番が好適に用いられる。また、骨組部の回動保持部が取付けられる側と反対側の側部には、骨組部を壁面に固定するための固定部を備えることが好ましい。固定部としては磁石によって着磁して固定するものやフックによって係止して固定するものが、着脱の作業性に優れ、好ましい。
尚、床面に当接する骨組部の下端面にフッ素樹脂等の滑り易い素材で形成されたシート状の滑り材を貼着することにより、骨組部の下端部が床面に引っ掛かったり、骨組部の下端部で床面を傷付けたりすることがなく、スムーズに薄型テレビ固定具を回動させることができ、動作の安定性に優れる。また、骨組部の下端部にキャスターを取付け、骨組部の下端面が床面に直接、接触しないようにしてもよい。尚、薄型テレビ固定具の側部には必要に応じて袖パネルを連結することもできる。
【００１０】
請求項２に記載の考案は、請求項１に記載の薄型テレビ固定具であって、前記骨組部と前記カバー部の間に形成され前記薄型テレビに接続されたケーブルを前記カバー部の裏面側に挿通するケーブル挿通部を備えた構成を有している。
この構成により、請求項１で得られる作用、効果に加え、以下のような作用、効果が得られる。
（１）骨組部とカバー部の間に形成され薄型テレビに接続されたケーブルをカバー部の裏面側に挿通するケーブル挿通部を備えることにより、薄型テレビに接続されたケーブルを骨組部やカバー部に干渉させることなく、カバー部の裏面側に案内することができ、ケーブルに負荷がかかり難く、接触不良や断線等を防止することができ、信頼性、取扱い性に優れる。
【００１１】
ここで、ケーブル挿通部は薄型テレビに接続されたケーブルをカバー部の裏面側に挿通できるものであればよく、テレビ保持具を備えた骨組部のテレビ取付部とカバー部の間に設けた隙間を利用してもよいし、カバー部に設けた切り欠き部を利用してもよい。
【００１２】
請求項３に記載の考案は、請求項１又は２の内いずれか１項に記載の薄型テレビ固定具であって、前記骨組部に形成され外部から前記カバー部の裏面側にケーブルを挿通するケーブル取入口を備えた構成を有している。
この構成により、請求項１又は２で得られる作用、効果に加え、以下のような作用、効果が得られる。
（１）骨組部に形成され外部からカバー部の裏面側にケーブルを挿通するケーブル取入口を備えることにより、薄型テレビ固定具の周囲に設置されたコンセントの他、スピーカー、ＤＶＤプレーヤー、ハードディスクレコーダー等の各種ＡＶ機器、パソコン、モジュラージャック等に接続された各種ケーブルをケーブル取入口からカバー部の裏面側に取込むことができるので、骨組部と壁面との間に形成される空間に各種ケーブルを収容した状態で薄型テレビに接続することができ、美感性に優れる。
（２）各種ケーブルがケーブル取入口を通して薄型テレビに接続されるので、薄型テレビ固定具を回動させたり、カバー部を着脱或いは回動させたりする際に邪魔になることがなく、使用性に優れる。
【００１３】
ここで、骨組部に形成するケーブル取入口の位置は適宜、選択することができるが、左右いずれか一方の支柱部の下端側の外側部に形成することが好ましい。尚、ケーブル取入口は骨組部を貫通するように孔状に形成してもよいし、骨組部の一部を切り欠いて形成してもよい。
【００１４】
請求項４に記載の考案は、請求項１乃至３の内いずれか１項に記載の薄型テレビ固定具であって、前記骨組部に形成された収納部及び／又は増設コンセントを備えた構成を有している。
この構成により、請求項１乃至３の内いずれか１項で得られる作用、効果に加え、以下のような作用、効果が得られる。
（１）骨組部に形成された収納部を有する場合、薄型テレビに接続されたＤＶＤプレーヤーやハードディスクレコーダー等の各種ＡＶ機器或いはＣＤやＤＶＤ等を収容することができ、設置スペースの有効利用性、機能性に優れる。
（２）骨組部に配設された増設コンセントを有する場合、薄型テレビに接続されたＤＶＤプレーヤーやハードディスクレコーダー等の電源ケーブルを増設コンセントに差込んで利用することができ、使用性に優れる。
【００１５】
ここで、収納部の形状、数、配置等は適宜、選択することができる。尚、収納部の位置に合わせてカバー部に開口部を設けた場合、カバー部の着脱や開閉を行うことなく、容易に収容物の出し入れを行うことができ、使用性に優れる。また、カバー部の外方に収納部を突出させることなく、カバー部の裏面側のスペースを有効に利用することができ、収納の効率性、省スペース性に優れる。開口部には必要に応じて、透明の塩ビシートやガラス等で形成された蓋を取付けたり、カーテンを取付けたりしてもよい。
尚、カバー部に棚板やスピーカー等を取付けてもよい。
増設コンセントには電源コード（延長コード）が繋がっており、部屋のコンセントに差込んで使用することができる。このとき、電源コードを骨組部のケーブル取入口に通してコンセントに差込むことにより、薄型テレビ固定具を回動させたり、カバー部を着脱或いは回動させたりする際に、電源コードが邪魔になることがなく、使用性に優れる。
【図面の簡単な説明】
【００１６】
【図１】実施の形態１における薄型テレビ固定具の模式正面図
【図２】実施の形態１における薄型テレビ固定具の模式側面図
【図３】実施の形態１における薄型テレビ固定具のカバー部を取外した状態を示す模式正面図
【図４】実施の形態１における薄型テレビ固定具の設置状態を示す模式平面図
【図５】実施の形態１における薄型テレビ固定具の使用状態を示す模式平面図
【考案を実施するための最良の形態】
【００１７】
以下、本考案を実施するための最良の形態を、図面を参照しながら説明する。尚、本考案の技術的範囲はこれらの実施の形態に限定されるものではない。
（実施の形態１）
図１は実施の形態１における薄型テレビ固定具の模式正面図であり、図２は実施の形態１における薄型テレビ固定具の模式側面図であり、図３は実施の形態１における薄型テレビ固定具のカバー部を取外した状態を示す模式正面図である。
図１及び図２中、１は薄型テレビ２０の取付けに用いられる実施の形態１における薄型テレビ固定具、３は薄型テレビ固定具１の左右の支柱部、１０は薄型テレビ固定具１の下部に形成されＤＶＤプレーヤーやハードディスクレコーダー等の各種ＡＶ機器或いはＣＤやＤＶＤ等が収容される収納部、１４ａ，１４ｂは薄型テレビ固定具１の上下のカバー部、１５はカバー部１４ｂの上端側に形成され薄型テレビ２０に接続されたケーブルをカバー部１４ｂの裏面側に挿通するためのケーブル挿通部である。
図２中、２は薄型テレビ固定具１の骨組部、１０ａは骨組部２の下端側に配設され収納部１０の底部を支持する収納部支持部、１２は右の支柱部３の下端側を貫通して形成され骨組部２の外部からカバー部１４ｂの裏面側にケーブルを挿通するためのケーブル取入口、１３は薄型テレビ固定具１の右の支柱部３の裏面側の上下２箇所に形成された回動保持部取付部１３ａに取付けられ薄型テレビ固定具１が設置される部屋の壁面に対して骨組部２を回動自在に保持する蝶番を用いた回動保持部である。
収納部１０に各種ＡＶ機器を収納した場合、各種ＡＶ機器に繋がれたケーブル類をカバー部１４ｂの裏側からケーブル挿通部１５を通して薄型テレビ２０と接続することができる。尚、収納部１０の開口部には透明の塩ビシートやガラス等で形成された蓋を取付けたり、カーテンを取付けたりしてもよい。
ケーブル取入口１２は骨組部２の支柱部３を貫通する孔状に形成する代わりに、支柱部３の一部を切り欠いて形成してもよい。
【００１８】
図３中、２ａは枠状に形成された骨組部２の上部開口部、２ｂは枠状に形成された骨組部２の下部開口部、４は骨組部２の左右の支柱部３の間に渡設された板状のテレビ取付部、４ａはテレビ取付部４の四隅を左右の支柱部３に螺子止めで固定するための略Ｌ字形の固定金具、５はテレビ取付部４の前面に配設され薄型テレビ２０の背面側を螺子止めして保持するテレビ保持具、５ａはテレビ取付部４の上下に水平に配設されたテレビ保持具５のガイド部、５ｂは上下のガイド部５ａによって左右方向に摺動自在に保持されたテレビ保持具５の左右の摺動部、５ｃは摺動部５ｂの前面に配設されたテレビ保持具５のアーム部、５ｄはアーム部５ｃに穿設され薄型テレビ２０を螺子止めして位置決め固定するための固定孔、６ａ，６ｂ，６ｃはそれぞれ骨組部２の上端部、収納部１０の上端部、骨組部２の下端部で左右の支柱部３を連結、補強する横桟、６ｄは各々の横桟６ａ，６ｂ，６ｃの両端部を左右の支柱部３に螺子止めで固定するための略Ｌ字形の固定金具、７は横桟６ａ，６ｂの間を連結、補強する縦桟、８ａ，８ｂは横桟６ａ，６ｂの左右２箇所に配設され骨組部２の上下の開口部２ａ，２ｂに覆設されるカバー部１４ａ，１４ｂを保持する係止部、９は左右の支柱部３の内側部に４箇所ずつ配設され開口部２ａ，２ｂに覆設されるカバー部１４ａ，１４ｂの裏面を磁力で吸着する磁石部、１０ｂは収納部１０の四隅を横桟６ｂ，６ｃに螺子止めで固定するための略Ｌ字形の固定金具、１１は複数のコンセントを有し支柱部３の内側部に配設された増設コンセント、１１ａは増設コンセント１１の電源コードである。
【００１９】
薄型テレビ固定具１の幅、高さ、テレビ保持具５の取付位置等は薄型テレビの大きさや設置高さ等に応じて適宜、選択することができる。
尚、骨組部２は木製でもステンレスやアルミニウム等の金属製でもよく、骨組部２を補強する横桟や縦桟の数や配置は適宜、選択することができ、必要に応じて、筋交いで補強してもよい。
テレビ保持具５の形状や構造は特に限定されるものではなく、市販のテレビ壁掛金具等を適宜、選択して使用することができる。尚、摺動部５ｂがアーム部５ｃを回動自在に保持する水平軸を備えた場合、薄型テレビ２０の画面を上下方向に角度調整することができる。
図３に示したように、増設コンセント１１の電源コード１１ａをケーブル取入口１２から取出して部屋のコンセントに差込むことにより、増設コンセント１１に電力を供給することができるので、薄型テレビ２０や収納部１０に収納される各種ＡＶ機器等の電源コードを増設コンセント１１に差込んで使用することができる。
カバー部１４ａ，１４ｂには木製の板状の建具材や、枠体に壁紙、障子紙、襖紙、塩ビシート、レザー、カーテン生地等の布地等を貼付けたもの等を用いることができ、表面の色や模様等は適宜、選択することができる。
【００２０】
次に、実施の形態１における薄型テレビ固定具の使用方法について説明する。
図４は実施の形態１における薄型テレビ固定具の設置状態を示す模式平面図であり、図５は実施の形態１における薄型テレビ固定具の使用状態を示す模式平面図である。
図４及び図５中、１４ｃは薄型テレビ固定具１の骨組部２の係止部８ａ（図３参照）の位置に合わせてカバー部１４ａの裏面上端側の左右２箇所に配設され係止部８ａに係止される略Ｌ字形のフック部、１６は薄型テレビ固定具１を設置する部屋の壁面３０ａに固定され薄型テレビ固定具１の左の支柱部３を磁力によって固定する固定部である。
尚、薄型テレビ固定具１が前方に倒れないように、骨組部２の上部と、壁面３０ａ，３０ｂや天井に薄型テレビ２０の重量に耐えるアイボルト等の連結具を取付け、その間をチェーン等で連結する等して耐震補強することが好ましい。
【００２１】
カバー部１４ａと同様に、カバー部１４ｂの裏面にも薄型テレビ固定具１の骨組部２の係止部８ｂ（図３参照）の位置に合わせてフック部１４ｃが配設されており（図示せず）、そのフック部１４ｃを係止部８ｂに係止することにより、カバー部１４ｂを骨組部２に取付けることができる。
また、カバー部１４ａ，１４ｂの裏面には、骨組部２の支柱部３に配設された磁石部９（図３参照）の位置に合わせて鉄等の磁性体で形成された磁着板が貼着されており（図示せず）、その磁着板を磁石部９に磁着することにより、カバー部１４ａ，１４ｂを確実に固定することができる。
カバー部１４ａ，１４ｂは、上方に持ち上げることにより、フック部１４ｃが係止部８ａ，８ｂから外れ、骨組部２から容易に取外すことができる。尚、図２に示したように、カバー部１４ｂの上端側にケーブル挿通部１５が形成されているので、カバー部１４ｂをテレビ保持具５に干渉させることなく、着脱作業を行うことができる。また、薄型テレビ２０に接続されたケーブルはケーブル挿通部１５からカバー部１４ｂの裏面側に挿通することができるが、必要に応じてカバー部１４ｂを取外すことにより、配線の追加、交換、繋ぎ変え等を容易に行うことができる。
【００２２】
図５に示したように、回動保持部１３により薄型テレビ固定具１を回動させることができるので、薄型テレビ２０を観やすい角度に設置することができる。このとき、固定部１６が配設された側の骨組部２の側部等に取っ手や手を掛けるための凹部を設けることにより、容易に薄型テレビ固定具１を回動させることができる。また、骨組部２の裏側に回って配線の交換や追加等を行ったり、骨組部２と壁面３０ａ，３０ｂとの間の角部のスペースへの収容物の出し入れを行ったり、骨組部２と壁面３０ａ，３０ｂとの間のスペースを清掃したりすることができる。尚、カバー部１４ａ，１４ｂに開閉部を設け、そこから収容物の出し入れを行うこともできる。この場合、開閉部は扉状でもよいし、カーテンでもよい。
本実施の形態では、回動保持部１３を骨組部２の右側に取付け、固定部１６を骨組部２の左側に取付けたが、周囲の家具、扉、窓等の配置等に応じて、回動保持部１３と固定部１６を左右入れ替えて取付けてもよい。このとき、骨組部２の左右の支柱部３に予め回動保持部取付部１３ａを形成しておけば、左右どちらでも容易に回動保持部１３を取付けることができる。また、磁力によって固定する固定部１６の代わりにフックで係止する固定部を用いてもよい。
尚、床面に当接する骨組部２の下端面にフッ素樹脂等の滑り易い素材で形成されたシート状の滑り材やキャスターを配設することにより、骨組部２の下端部が床面に引っ掛かったり、骨組部２の下端部で床面を傷付けたりすることがなく、スムーズに薄型テレビ固定具１を回動させることができる。
尚、骨組部２の横桟６ａを利用して、薄型テレビ固定具１の上部にＬＥＤ等の間接照明を取付けることができる。その場合、必要に応じて、カバー部１４ａの上端側に切り欠き部や開口部を設けてもよい。
また、薄型テレビ固定具１の正面部や側面部にリモコン収納部を設けてもよい。
【００２３】
本考案の実施の形態１における薄型テレビ固定具によれば、以下のような作用が得られる。
（１）部屋の角部で交差する２つの壁面に跨って配設され薄型テレビの背面側を保持するテレビ保持具を有する骨組部を有するので、部屋の角部を有効利用して薄型テレビを設置することができ、壁面を薄型テレビで専有することなく他の家具等を設置することが可能で、壁面の有効利用性に優れる。
（２）テレビ保持具を有する骨組部が、部屋の角部で交差する２つの壁面に跨って配設されるので、薄型テレビの背面と壁面との間に空間を設けることができ、テレビの音が壁面に伝わり難く、壁面の振動を抑えることができ、静音性に優れる。
（３）テレビ保持具を有する骨組部が、部屋の角部で交差する２つの壁面に跨って配設されることにより、骨組部と壁面との間に形成される空間を薄型テレビに接続されるケーブル類やその他の小物等の収納スペースとして利用することができ、機能性、空間利用の効率性に優れる。
（４）骨組部の開口部の前面側に着脱自在又は回動自在に覆設されるカバー部を有することにより、薄型テレビの背面側に接続されるケーブル類が外から見えず、美感性、デザイン性に優れる。
（５）骨組部の開口部の前面側に覆設されるカバー部が着脱自在又は回動自在なので、必要に応じてカバー部を取り外すか、開くことにより、ケーブル類の挿抜や新たな配線の追加、或いは内部に収容された小物等の収容物の出し入れ等を容易に行うことができ、メンテナンス性、取扱い性に優れる。
（６）骨組部の開口部の前面側に覆設されるカバー部が着脱自在な場合、周囲の壁面、家具、カーテン等の色やデザイン等に応じて、表面の色、模様、デザイン等が異なるカバー部を適宜、選択して取替えることができ、デザイン性、汎用性に優れる。
（７）骨組部の少なくとも左右いずれか一方の側部と隣接する壁面との間に配設され壁面に対して骨組部を回動自在に保持する回動保持部を取付け可能な回動保持部取付部を有することにより、骨組部に容易に回動保持部を取付けることができ、壁面に対して骨組部を回動自在に保持することができるので、必要に応じて薄型テレビ固定具全体を回動させることができ、骨組部の裏側に回って配線の交換や追加等を行ったり、骨組部と壁面との間のスペースへの収容物の出し入れを行ったり、骨組部と壁面との間のスペースを清掃したりすることができ、組立作業性、メンテナンス性、機能性、清掃作業性に優れる。
（８）壁面に対して骨組部を回動自在に保持する回動保持部を回動保持部取付部に取付けることにより、薄型テレビ固定具の設置角度を変更することができるので、テレビを観る人の位置に応じて、薄型テレビの画面を最適な角度に調整することが可能で、汎用性に優れる。
（９）骨組部とカバー部の間に形成され薄型テレビに接続されたケーブルをカバー部の裏面側に挿通するケーブル挿通部を備えることにより、薄型テレビに接続されたケーブルを骨組部やカバー部に干渉させることなく、カバー部の裏面側に案内することができ、ケーブルに負荷がかかり難く、接触不良や断線等を防止することができ、信頼性、取扱い性に優れる。
（１０）骨組部に形成され外部からカバー部の裏面側にケーブルを挿通するケーブル取入口を備えることにより、薄型テレビ固定具の周囲に設置されたコンセントの他、スピーカー、ＤＶＤプレーヤー、ハードディスクレコーダー等の各種ＡＶ機器、パソコン、モジュラージャック等に接続された各種ケーブルをケーブル取入口からカバー部の裏面側に取込むことができるので、骨組部と壁面との間に形成される空間に各種ケーブルを収容した状態で薄型テレビに接続することができ、美感性に優れる。
（１１）各種ケーブルがケーブル取入口を通して薄型テレビに接続されるので、薄型テレビ固定具を回動させたり、カバー部を着脱或いは回動させたりする際に邪魔になることがなく、使用性に優れる。
（１２）骨組部に形成された収納部を有するので、薄型テレビに接続されたＤＶＤプレーヤーやハードディスクレコーダー等の各種ＡＶ機器或いはＣＤやＤＶＤ等を収容することができ、設置スペースの有効利用性、機能性に優れる。
（１３）骨組部に配設された増設コンセントを有するので、薄型テレビに接続されたＤＶＤプレーヤーやハードディスクレコーダー等の電源ケーブルを増設コンセントに差込んで利用することができ、使用性に優れる。
【産業上の利用可能性】
【００２４】
本考案は、簡素な構造で、組立、取付を容易に行うことができ、大掛かりな工事を行う必要がなく、部屋の角部を有効利用することができ、ケーブルの挿抜や新たな配線の追加等の配線作業が容易で、メンテナンス性、汎用性、機能性に優れると共に、配線を内部に収納することができ、美感性、デザイン性に優れ、テレビの音が壁面に伝わり難く、静音性に優れた薄型テレビ固定具の提供を行うことができ、薄型化、大画面化が進む薄型テレビの普及に対応することができる。
【符号の説明】
【００２５】
１  薄型テレビ固定具
２  骨組部
２ａ  上部開口部
２ｂ  下部開口部
３  支柱部
４  連結部
４ａ，６ｄ，１０ｂ  固定金具
５  テレビ保持具
５ａ  ガイド部
５ｂ  摺動部
５ｃ  アーム部
５ｄ  固定孔
６ａ，６ｂ，６ｃ  横桟
７  縦桟
８ａ，８ｂ  係止部
９  磁石部
１０  収納部
１０ａ  収納部支持部
１１  増設コンセント
１１ａ  電源コード
１２  ケーブル取入口
１３  回動保持部
１４ａ，１４ｂ  カバー部
１４ｃ  フック部
１５  ケーブル挿通部
１６  固定部
２０  薄型テレビ
３０ａ，３０ｂ  壁面
【図１】
0003202483.tif 000003
【図２】
0003202483.tif 000004
【図３】
0003202483.tif 000005
【図４】
0003202483.tif 000006
【図５】
0003202483.tif 000007